(57)【要約】【課題】  小型・簡易かつ安価な光学系により高精度な多重ホログラムの選択的消去を可能にして、ひいては小型・簡易かつ安価なホログラムメモリ装置を実現する。【解決手段】  物体光１９と参照光２０とをホログラムメモリ１１に照射するための光学系として、ビームスプリッタ１４の両方の面からの入射光を利用する２重マッハツェンダ−干渉光学系２５を備えている。該光学系２５におけるビームスプリッタ１４の記録時に物体光１９及び参照光２０の照射に用いた面とは異なるもう一方の面から入射した光より該ホログラムの記録時の物体光１９と参照光２０とを照射することで、多重ホログラムを選択的に消去する。【選択図】  図１
2006126642.tif 000002
【特許請求の範囲】
【請求項１】
ホログラムメモリに物体光と参照光とが照射され、これらの干渉縞によって多重に記録されたホログラムのうちのあるホログラムを、該ホログラムの記録時の物体光と参照光とをこれらの干渉縞が記録時の干渉縞とπだけ変位するように上記ホログラムメモリに照射することで消去するホログラムの消去方法であって、
ホログラムメモリに対して物体光と参照光とを照射する光学系として、ビームスプリッタの両面からの入射光を利用する２重マッハツェンダ−干渉光学系を用い、該光学系のビームスプリッタにおける消去対象のホログラムの記録時に物体光と参照光との生成に用いられた方とは異なる方の面からの入射光にて消去時の物体光と参照光とを生成することにより、記録時の干渉縞とπだけ変位した干渉縞を得ることを特徴とするホログラムの消去方法。
【請求項２】
ホログラムメモリに物体光と参照光とが照射され、これらの干渉縞によって記録されたホログラムを、該ホログラムの記録時の物体光と参照光とをこれらの干渉縞が記録時の干渉縞とπだけ変位するように上記ホログラムメモリに照射することで消去するホログラムの消去方法であって、
ホログラムメモリに対して物体光と参照光とを照射する光学系として、ビームスプリッタの両面からの入射光を利用する２重マッハツェンダ−干渉光学系を用い、該光学系のビームスプリッタにおけるホログラムの記録時に物体光と参照光との生成に用いられた方とは異なる方の面からの入射光にて消去時の物体光と参照光とを生成することにより、記録時の干渉縞とπだけ変位した干渉縞を得ることを特徴とするホログラムの消去方法。
【請求項３】
ホログラムメモリに物体光と参照光とを照射し、これらの干渉縞によってホログラムを記録するもので、かつ、同一箇所に複数のホログラムを多重に記録する記録手段と、多重記録されたホログラムのうちの任意のホログラムを参照光を照射して選択的に再生する再生手段とを備えたホログラムメモリ装置において、
上記物体光と参照光とをホログラムメモリに照射するための光学系として、ビームスプリッタの両方の面からの入射光を利用する２重マッハツェンダ−干渉光学系を備えていることを特徴とするホログラムメモリ装置。
【請求項４】
上記ホログラムメモリに多重記録されているホログラムのうちの任意のホログラムを選択的に消去する消去手段を備え、
該消去手段は、上記光学系を用い、該光学系におけるビームスプリッタの上記記録手段が消去対象のホログラムの記録時に物体光及び参照光の照射に用いた面とは異なるもう一方の面から入射した光より該ホログラムの記録時の物体光と参照光とを照射することで消去するようになっていることを特徴とするホログラムメモリ装置。
【請求項５】
ホログラムメモリに物体光と参照光とを照射し、これらの干渉縞によってホログラムを記録する記録手段と、記録されたホログラムに参照光を照射して再生する再生手段とを備えたホログラムメモリ装置において、
上記物体光と参照光とをホログラムメモリに照射するための光学系として、ビームスプリッタの両方の面からの入射光を利用する２重マッハツェンダ−干渉光学系を備えていることを特徴とするホログラムメモリ装置。
【請求項６】
上記ホログラムメモリに記録されているホログラムを消去する消去手段を備え、
該消去手段は、上記光学系を用い、該光学系におけるビームスプリッタの上記記録手段が該ホログラムの記録時に物体光及び参照光の照射に用いた面とは異なるもう一方の面から入射した光より該ホログラムの記録時の物体光と参照光とを照射することで消去するようになっていることを特徴とするホログラムメモリ装置。
【請求項７】
上記ホログラムメモリが、フォトリフラクティブ媒質を含んでいることを特徴とする請求項３〜６の何れか１項に記載のホログラムメモリ装置。
【発明の詳細な説明】
【技術分野】
【０００１】
本発明は、ホログラムメモリとして例えばフォトリフラクティブ結晶を用い、該結晶中へのホログラムの記録・再生・消去を行うホログラムメモリ装置に関するもので、特に、多重ホログラムの選択的消去を可能にする消去方法、及びホログラムメモリ装置に関するものである。
【背景技術】
【０００２】
ホログラムメモリ（ホログラフィックメモリ）は、２次元的なデータをホログラムの形で記録・再生するものである。そのため、従来の光メモリと比較して高速なデータ転送が可能であり、かつ、ホログラムをホログラム媒質中の同一個所に多重記録することで大容量化が実現される。特に、ホログラム媒質としてフォトリフラクティブ媒質（フォトリフラクティブ結晶）を用いたホログラムメモリでは、一旦記録されたホログラムを消去することが可能であり、書き換え型メモリへの応用が期待されている。
【０００３】
フォトリフラクティブ媒質とは、光の照射によって屈折率が変化する媒質群を指し、鉄を不純物として含むリチウムニオブ酸（ＬｉＮｂＯ3：Ｆｅ）や、セリウムを不純物として含むストロンチウムバリウムニオブ酸（ＳｒxＢａ1...xＮｂ2Ｏ6：Ｃｅ）等、数多くの媒質が知られている。
【０００４】
このようなフォトリフラクティブ媒質中に多重に記録されたホログラム（多重ホログラム）は、一様なインコヒーレント光の照射や熱処理により、一括消去可能である。しかしながら、１ｃｍ角程度の記録領域に1テラバイトものデータを多重記録するホログラムメモリにおいては、一括消去に加え多重ホログラム中の任意の一枚のホログラムみを選択的に消去することが実用上重要である。
【０００５】
ホログラムは、フォトリフラクティブ媒質中に、二次元的なデータが付加された物体光と参照光の干渉縞として記録されるようになっているが、あるホログラムに対し、該ホログラムを記録した時の干渉縞と空間的にπだけ位相の変位した干渉縞を上書きすることで、一様なインコヒーレント消去光を該ホログラムに照射した場合と比較して、格段に高速で該ホログラムを消去できることが知られている。記録時の干渉縞と空間的にπだけ位相の変位した干渉縞は、物体光或いは参照光のいずれか一方の位相を、移相器によりπ変位することによって得ることができる。
【０００６】
以下、図９を参照して、フォトリフラクティブ媒質に対するホログラムの多重記録及び上記した記録時の干渉縞と空間的にπだけ位相の変位した干渉縞を上書きすることによる多重ホログラムの選択的消去について説明する。
【０００７】
図９において、第１光波５１を参照光、第２光波５２を２次元画像データを有する物体光とすると、ホログラムはこれら参照光と物体光との干渉縞５４によりフォトリフラクティブ媒質中に記録される。ここで、参照光の光路上に配された移相器５３は、参照光の位相を０かπかで切り換えて変化させるものであるが、記録時の移相量（位相を変化させる量）は０であり、参照光の位相を変化させることはない。また、ホログラムの多重記録は、通常、ホログラムごとに参照光の角度、或いは波長、或いは位相分布等を変化させることにより行われる。
【０００８】
このように記録された多重ホログラムの選択的消去に際しては、多重記録されたホログラムのうちの消去したいホログラム（消去対象のホログラム）に対して、該消去対象のホログラムの記録時と同一の角度、同一波長、或いは同一位相分布を有する参照光（言い換えると消去対称のホログラムの再生条件を満たす参照光）と、記録時と同一の物体光とをフォトリフラクティブ媒質へ入射させる。ここで、参照光の位相は、参照光の光路上に配された移相器５３により、記録時の位相に対してpだけ変位されており、記録時と空間的にπだけ変位した干渉縞５４’が消去対象のホログラムに上書きされることとなり、該消去対象のホログラムが消去される。
【０００９】
この場合、他の多重ホログラムに対しては、これらの選択消去光（物体光及びpだけ変位した参照光）はインコヒーレント消去光として働く。しかしながら、上述のように選択的消去の速度はインコヒーレント消去のそれと比較し格段に高速なため、消去対象のホログラムのみが選択的に消去され、他の多重ホログラムが同時に消去されることはない。
【００１０】
そして、従来、上記移相器５３としては、液晶位相変調器を参照光の光路上に配置し、その電子的な制御により参照光の位相をπだけ遅らせる構成や、ピエゾミラーを参照光或いは物体光の光路上に配置し、その機械的移動により半波長の光路差を作ることで干渉縞の位相を変位させる構成のものがある（例えば、非特許文献１，２）。
【非特許文献１】H. Sasaki, J. Ma, Y. Fainman, and S. Lee, “Fast update of dynamic holographic memory,” Opt. Lett. 17, 20, pp.1468-1470, 1992.
【非特許文献２】J.V. Alvarez-Bravo, L. Arizmendi, “Coherent erasure and updating of holograms in LiNbO3,” Opt. Mater. 4, pp.419-422, 1995.
【非特許文献３】P. Yeh, Introduction to Photorefractive Nonlinear Optics, John Wiley & Sons, Inc., New York, 1993.
【発明の開示】
【発明が解決しようとする課題】
【００１１】
しかしながら、上記移相器５３として液晶位相変調器を用いた電子的制御やピエゾミラーを用いた機械的制御を使用した従来のホログラムメモリ装置の構成では、以下のような問題がある。
【００１２】
まず、液晶位相変調器やピエゾミラーを用いた移相器では、光学系の大型化・複雑化を招来し、しかも、液晶位相変調器及びピエゾミラーは素子自体が高価であるため、ホログラムメモリ装置自体の価格高騰に繋がる。
【００１３】
また、液晶位相変調器やピエゾミラーを用いた移相器では、液晶位相変調器の電圧誤差や、ピエゾミラーのバックラッシュ等によって移相量に誤差が発生してしまい、多重ホログラムの選択的消去の性能が劣化する可能性がある。
【００１４】
さらに、多重ホログラムの選択的消去に使用される移相量は、記録時或いは再生時の０と、消去時のπのみであるのに、液晶位相変調器やピエゾミラーを用いた移相器では、本応用に不必要である連続的な中間値も採り得るため、これも移相量の誤差の原因となり、多重ホログラムの選択的消去の性能を劣化させる惧れがある。
【００１５】
なお、多重ホログラムの消去のみに関わらず、このような記録時の干渉縞と空間的にπだけ位相の変位した干渉縞を上書きすることによる消去法は、多重記録でないホログラムの消去においても、インコヒーレント消去光に比べて高速に消去可能であるので有用であるが、上記と同様の問題がある。
【００１６】
本発明は、上記課題に鑑みなされたものであって、その目的は、電子的あるいは機械的制御による移相器の使用により生じるホログラムメモリ装置の大型化・複雑化を回避し、小型・簡易かつ安価な光学系により高精度なホログラムの消去を可能にして、ひいては小型・簡易かつ安価なホログラムメモリ装置を実現することにある。
【課題を解決するための手段】
【００１７】
本発明のホログラムの消去方法は、上記課題を解決するために、ホログラムメモリに物体光と参照光とが照射され、これらの干渉縞によって多重に記録されたホログラムのうちのあるホログラムを、該ホログラムの記録時の物体光と参照光とをこれらの干渉縞が記録時の干渉縞とπだけ変位するように上記ホログラムメモリに照射することで消去するホログラムの消去方法であって、ホログラムメモリに対して物体光と参照光とを照射する光学系として、ビームスプリッタの両面からの入射光を利用する２重マッハツェンダ−干渉光学系を用い、該光学系のビームスプリッタにおける消去対象のホログラムの記録時に物体光と参照光との生成に用いられた方とは異なる方の面からの入射光にて消去時の物体光と参照光とを生成することにより、記録時の干渉縞とπだけ変位した干渉縞を得ることを特徴としている。
【００１８】
２重マッハツェンダ−干渉光学系は、詳細については後述するが、ビームスプリッタの一方の面から入射された光波が分波された光波が交差領域に形成する干渉縞と、ビームスプリッタのもう一方の面から入射した光波が、上記光波と同一光路を伝搬して交差領域に形成する干渉縞との間には、空間的にpの位相差があるといった特性を有している。
【００１９】
したがって、上記のように、２重マッハツェンダ−干渉光学系を用い、参照光と物体光となる光波の入射を、記録時と消去時とで切り換えるだけで、記録時の干渉縞とπだけ変位した干渉縞を得ることができるので、多重ホログラムを選択的に消去可能でありながら、移相器の類が必要なくなる。
【００２０】
それゆえ、該消去方法を用いることで、多重ホログラムを選択的に高精度に消去できると共に、該方法を実現する装置構成としても、小型・簡易かつ安価にて実現できるので、ホログラムメモリ装置に採用することで、小型・簡易かつ安価なホログラムメモリ装置を実現することができる。
【００２１】
本発明のホログラムの消去方法は、上記課題を解決するために、ホログラムメモリに物体光と参照光とが照射され、これらの干渉縞によって記録されたホログラムを、該ホログラムの記録時の物体光と参照光とをこれらの干渉縞が記録時の干渉縞とπだけ変位するように上記ホログラムメモリに照射することで消去するホログラムの消去方法であって、ホログラムメモリに対して物体光と参照光とを照射する光学系として、ビームスプリッタの両面からの入射光を利用する２重マッハツェンダ−干渉光学系を用い、該光学系のビームスプリッタにおけるホログラムの記録時に物体光と参照光との生成に用いられた方とは異なる方の面からの入射光にて消去時の物体光と参照光とを生成することにより、記録時の干渉縞とπだけ変位した干渉縞を得ることを特徴としている。
【００２２】
多重ホログラムの選択的消去と同様に、多重記録でないホログラムについても、このように、２重マッハツェンダ−干渉光学系を用い、参照光と物体光となる光波の入射を、記録時と消去時とで切り換えるだけで、記録時の干渉縞とπだけ変位した干渉縞を得ることができるので、高速にホログラムを消去可能でありながら、移相器の類が必要なくなる。
【００２３】
それゆえ、該消去方法を用いることで、ホログラムを高速に高精度に消去できると共に、該方法を実現する装置構成としても、小型・簡易かつ安価にて実現できるので、ホログラムメモリ装置に採用することで、小型・簡易かつ安価なホログラムメモリ装置を実現することができる。
【００２４】
本発明のホログラムメモリ装置は、上記課題を解決するために、ホログラムメモリに物体光と参照光とを照射し、これらの干渉縞によってホログラムを記録するもので、かつ、同一箇所に複数のホログラムを多重に記録する記録手段と、多重記録されたホログラムのうちの任意のホログラムを参照光を照射して選択的に再生する再生手段とを備えたホログラムメモリ装置において、上記物体光と参照光とをホログラムメモリに照射するための光学系として、ビームスプリッタの両方の面からの入射光を利用する２重マッハツェンダ−干渉光学系を備えていることを特徴としている。
【００２５】
より好ましくは、上記ホログラムメモリに多重記録されているホログラムのうちの任意のホログラムを選択的に消去する消去手段を備え、該消去手段は、上記光学系を用い、該光学系におけるビームスプリッタの上記記録手段が消去対象のホログラムの記録時に物体光及び参照光の照射に用いた面とは異なるもう一方の面から入射した光より該ホログラムの記録時の物体光と参照光とを照射することで消去するようになっていることである。
【００２６】
上述したように、２重マッハツェンダ−干渉光学系を用いることで、移相器の類を必要とすることなく、多重ホログラムを選択的に消去できるので、上記のような消去手段の構成とすることで、移相器として液晶位相変調器やピエゾミラーを配置し、電子的或いは機械的制御を介して行っていた構成に比して、非常に小型・簡易かつ安価な光学系で多重ホログラムの選択的消去が可能となる。
【００２７】
また、ピエゾミラーを用いた場合のバックラッシュや、液晶位相変調器を用いた場合の電圧誤差等、従来の移相器を用いる構成では、ホログラムを記録した時の干渉縞と空間的に正確にπだけ位相の変位した干渉縞とはならずに、上書きすることによるホログラム消去の性能が劣化する可能性があるが、本発明において消去時の位相変位に用いる素子はビームスプリッタのみであり、誤差の少ない高精度なホログラムの選択的消去を実現でき、また、経時劣化も起こらない。
【００２８】
また、２重マッハツェンダ−干渉光学系による干渉縞の位相変位は、ホログラムの消去に不必要である連続的な中間値を採り得ないため、移相量の誤差の原因となることがなく、これによっても、誤差の少ない高精度な多重ホログラムの選択的消去を実現できる。
【００２９】
本発明のホログラムメモリ装置は、上記課題を解決するために、ホログラムメモリに物体光と参照光とを照射し、これらの干渉縞によってホログラムを記録する記録手段と、記録されたホログラムに参照光を照射して再生する再生手段とを備えたホログラムメモリ装置において、上記物体光と参照光とをホログラムメモリに照射するための光学系として、ビームスプリッタの両方の面からの入射光を利用する２重マッハツェンダ−干渉光学系を備えていることを特徴としている。
【００３０】
この場合も、より好ましくは、上記ホログラムメモリに記録されているホログラムを消去する消去手段を備え、該消去手段は、上記光学系を用い、該光学系におけるビームスプリッタの上記記録手段が該ホログラムの記録時に物体光及び参照光の照射に用いた面とは異なるもう一方の面から入射した光より該ホログラムの記録時の物体光と参照光とを照射することで消去するようになっていることである。
【００３１】
上述したように、２重マッハツェンダ−干渉光学系を用いることで、移相器の類を必要とすることなく、ホログラムを高速消去できるので、上記のような消去手段の構成とすることで、移相器として液晶位相変調器やピエゾミラーを配置し、電子的或いは機械的制御を介して行っていた構成に比して、非常に小型・簡易かつ安価な光学系でホログラムの高速消去が可能となる。
【００３２】
また、ピエゾミラーを用いた場合のバックラッシュや、液晶位相変調器を用いた場合の電圧誤差等、従来の移相器を用いる構成では、ホログラムを記録した時の干渉縞と空間的に正確にπだけ位相の変位した干渉縞とはならずに、上書きするこホログラム消去の性能が劣化する可能性があるが、本発明において消去時の位相変位に用いる素子はビームスプリッタのみであり、誤差の少ない高精度なホログラムの高速消去を実現でき、また、経時劣化も起こらない。
【００３３】
また、２重マッハツェンダ−干渉光学系による干渉縞の位相変位は、ホログラムの選択的消去に不必要である連続的な中間値を採り得ないため、移相量の誤差の原因となることがなく、これによっても、誤差の少ない高精度なホログラムの高速消去を実現できる。
【００３４】
上記した各本発明のホログラムメモリ装置において、上記ホログラムメモリとしては、例えば、フォトリフラクティブ媒質を含んでいるものを用いることができる。
【発明の効果】
【００３５】
本発明のホログラムの消去方法は、以上のように、ホログラムメモリに物体光と参照光とが照射され、これらの干渉縞によって多重に記録されたホログラムのうちのあるホログラムを、該ホログラムの記録時の物体光と参照光とをこれらの干渉縞が記録時の干渉縞とπだけ変位するように上記ホログラムメモリに照射することで消去するホログラムの消去方法であって、ホログラムメモリに対して物体光と参照光とを照射する光学系として、ビームスプリッタの両面からの入射光を利用する２重マッハツェンダ−干渉光学系を用い、該光学系のビームスプリッタにおける消去対象のホログラムの記録時に物体光と参照光との生成に用いられた方とは異なる方の面からの入射光にて消去時の物体光と参照光とを生成することにより、記録時の干渉縞とπだけ変位した干渉縞を得るものである。
【００３６】
これにより、参照光と物体光となる光波の入射を、記録時と消去時とで切り換えるだけで、記録時の干渉縞とπだけ変位した干渉縞を得ることができるので、多重ホログラムを選択的に消去可能でありながら、移相器の類が必要なくなる。
【００３７】
それゆえ、該消去方法を用いてホログラムメモリ装置を構成すれば、多重ホログラムを選択的に消去可能ホログラムメモリ装置を、移相器の類を構成要素とすることなく実現することができる。
【００３８】
つまり、電子的あるいは機械的制御による移相器の使用により生じるホログラムメモリ装置の大型化・複雑化を回避し、小型・簡易かつ安価な光学系により高精度なホログラムの消去を可能にして、ひいては小型・簡易かつ安価なホログラムメモリ装置を実現することができる。
【発明を実施するための最良の形態】
【００３９】
本発明の一実施形態について、図１〜図８に基づいて説明すると以下の通りである。
【００４０】
本発明は、ビームスプリッタ及びミラーにより構成される２重マッハツェンダ−干渉光学系を利用する。図２に、２重マッハツェンダ−干渉光学系を示す。通常のマッハツェンダ−干渉光学系と異なり、ビームスプリッタ５の両面からの入射光を利用するため、２重マッハツェンダ−干渉光学系と呼ばれる。
【００４１】
該光学系において、第１ポート１から入射された光波（実線にて示す）１０は、ビームスプリッタ５の一方の面に入射し、第２ポート２から入射された光波（実線にて示す）１１は、ビームスプリッタ５の他方の面に入射する。これら光波１０・１１は、それぞれビームスプリッタ５にて、光波１０ａ・１０ｂ、光波１１ａ・１１ｂにそれぞれ分波される。光波１０が分波された光波１０ａ・１０ｂは、第２ミラー４・第１ミラー３を介して交差し、同様に、光波１１が分波された光波１１ａ・１１ｂも、分波光１０ａ・１０ｂと同じ光路を伝搬して交差する。
【００４２】
そして、このとき、第１ポート１から入射された光波１０が分波された光波１０ａ・１０ｂが交差領域に形成する干渉縞（実線にて示す）６と、第２ポート２から入射された光波１１が分波された光波１１ａ・１１ｂが上記光波１０ａ・１０ｂと同一光路を伝搬して交差領域に形成する干渉縞（破線にて示す）７との間には、空間的にpの位相差があることが知られている（例えば、非特許文献３）。
【００４３】
本願発明者らは、このような特性に着目し、該光学系の交差領域に、フォトリフラクティブ媒質を配置し、上記位相差により、片方のポートからの入射光により記録されたホログラムを、異なるポートからの入射光により形成される干渉縞で上書きすることにより、多重記録されたホログラムを選択的に消去できることを見出し、本発明を完成したものである。
【００４４】
図１に、２重マッハツェンダ−干渉光学系を利用した、本発明の実施の一形態であるホログラムメモリ装置を示す。基本構成は、第１及び第２の２つの光源１２・１３と、２重マッハツェンダ−干渉光学系２５を構成する第１及び第２の２つのミラー１６・１７並びにビームスプリッタ（図中：ＢＳ）１４と、ホログラムメモリであるフォトリフラクティブ媒質（フォトリフラクティブ結晶）１１と、シャッター１５と、空間光変調器（図中：ＳＬＭ）１８と、すりガラス２１と、光検出器２４とを備えている。
【００４５】
ここで、上記第１及び第２の２つの光源１２・１３は、図２で示した２重マッハツェンダ−干渉光学系における第１及び第２の２つの入力ポート１・２の位置関係を満足するように、２重マッハツェンダ−干渉光学系２５に対して配置されている。
【００４６】
なお、図１では、ホログラムの多重記録手法の一例として、ホログラムごとに参照光の波面を変えるスペックル多重記録手法を用いている。そのため、後述する参照光の光路上にすりガラス２１が配置されているが、ホログラムごとに参照光の波長を変える波長多重記録手法や、ホログラムごとに参照光の角度を変える角度多重記録法、ホログラムごとに参照光の位相を変化させる位相コード多重記録法、参照光として球面波を用い、ホログラムごとに記録媒質（ホログラムメモリ）を微小距離移動する球面参照光シフト多重記録法など他のホログラム多重記録手法を用いることができる。
【００４７】
以下、図３〜図５を参照しながら、本ホログラムメモリ装置におけるホログラムの記録・再生・選択的消去の各手順について説明する。
【００４８】
ホログラムの記録時には、図３に示すように、第１光源１２からの光波のみを入射する。ビームスプリッタ１４により、この光波が２つに分波され、片方は物体光１９として、片方は参照光２０として、フォトリフラクティブ媒質１１中で干渉し、ホログラム２２を記録する。ここで、記録データはＳＬＭ１８により物体光１９に与えられる。複数のホログラム（♯１，♯２，…♯ｎ）を多重記録する際には、すりガラス２１を微小距離移動することにより参照光２０の波面を変化させ、これを新たな参照光２０として異なるホログラムをフォトリフラクティブ媒質１１の同一個所に多重記録する（記録手段の動作）。
【００４９】
次に、ホログラムの再生時には、図４に示すように、第１光源１２からのみ光波を入射し、更に、物体光１９の光路上の配されたシャッター１５を閉じることにより、フォトリフラクティブ媒質１１に参照光２０のみを入射し、ホログラムを再生する。多重記録されたホログラムのうち、再生時のすりガラス２１の位置が記録時の位置と一致するホログラムからのみ回折光が発生し、これを出力光２３として光検出器２４で検出する（再生手段の動作）。
【００５０】
そして、ホログラムの選択的消去時には、図５に示すように、記録時及び再生時には使用されていない第２光源１３からのみ光波を入射する。この時、参照光２０の光路上のすりガラス２１は、消去するホログラムに対する再生条件を満足するように配置し、また、物体光１９には消去するホログラムに対応する入力画像をＳＬＭ１８により与える。これにより、このホログラムは、記録時とちょうどpだけ変位した干渉縞により上書きされることになり、選択的に消去されることになる（消去手段の動作）。
【００５１】
なお、以上の手順において、第１光源１２と第２光源１３の用途は可換である。つまり、第２光源１３からの光波によりホログラムの多重記録及び再生を行い、第１光源１２からの光波によりホログラムの選択的消去を行うことも可能である。
【００５２】
また、ホログラムの記録とホログラムの選択的消去とは、互いに異なる光源からの光波で行う必要があるが、再生については記録用或いは選択的消去用のいずれの光源からの光波でも行うことが可能である。したがって、ここでは第１光源１２からの光波により再生を行うようにしたが、第２光源１３からの光波により再生を行うようにしてもよい。
【００５３】
さらに、図１のホログラムメモリ装置では、第１及び第２の光源１２・１３として光源を２つ設けたが、一つの光源からの光波を２本に分波し、これを第１光源１２及び第２光源１３として用いることも可能である。
【００５４】
以上のように、本実施の形態のホログラムメモリ装置では、ビームスプリッタの第１の面から入射された光波が分波されて交差領域に形成する干渉縞と、ビームスプリッタの第２の面から入射した光波が、上記第１の面からの入射光が分波された光波と同一光路を伝搬して交差領域に形成する干渉縞との間には、空間的にpの位相差があるといった特性を有する２重マッハツェンダ−干渉光学系を利用し、該光学系にて参照光と物体光とをフォトリフラクティブ媒質１１に照射するようになっている。
【００５５】
したがって、参照光と物体光となる光波の入射を、記録時と選択的消去時とで切り換えることで、参照光或いは物体光の光路上に選択的消去時の光波の位相を変位させるための移相器を別途配置する必要がなく移相器として液晶位相変調器やピエゾミラーを配置し、電子的或いは機械的制御を介して行っていた構成に比して、非常に小型・簡易かつ安価な光学系でホログラムの選択的消去が可能となる。
【００５６】
また、ピエゾミラーを用いた場合のバックラッシュや、液晶位相変調器を用いた場合の電圧誤差等、従来の移相器を用いる構成では、ホログラム選択的消去の性能が劣化する可能性があるが、本発明において選択的消去時の位相変位に用いる素子はビームスプリッタのみであり、誤差の少ない高精度なホログラムの選択的消去を実現でき、また、経時劣化も起こらない。
【００５７】
しかも、２重マッハツェンダ−干渉光学系による干渉縞の位相変位は、ホログラムの選択的消去に不必要である連続的な中間値を採り得ないため、移相量の誤差の原因となることがなく、これによっても、誤差の少ない高精度なホログラムの選択的消去を実現できる。
【００５８】
そして、上述したように、本発明における多重ホログラムの選択的消去手法は角度多重記録法や球面参照光シフト多重記録法、位相コード多重記録法等、他の多重記録手法にも適用することが可能である。
【００５９】
以下、実施例にて本発明をさらに説明する。
〔実施例１〕
まず、図２に示した２重マッハツェンダ−干渉光学系により多重記録されたホログラムの選択的消去が行えることを、実験的に確認した実施例について記載する。
【００６０】
図６に、図２における光波１０ａ・１０ｂ、１１ａ・１１ｂの交差領域に、フォトリフラクティブ媒質として、鉄を不純物として含むリチウムニオブ酸（ＬｉＮｂＯ３：Ｆｅ）結晶を配置し、第１ポート１からの入射光による干渉縞６で記録されたホログラムを、第２ポート２からの入射光による干渉縞７で上書きした場合の規格化回折効率を示す。
【００６１】
ここでは、ホログラム記録光の１／１０程度の強度の光波により、ホログラムを位相共役再生し回折効率を測定している。位相共役再生とは参照光と対向伝搬する光波によりホログラムを通常の反対側から再生することであり、これにより記録過程にあるホログラムの回折効率の動的な振る舞いを観測することが可能である。また、比較のために第２ポート２からの入射光と同一強度のインコヒーレント消去光を結晶に照射した場合の規格化回折効率もプロットしている。
【００６２】
図６より、第２ポート２からの入射光（選択的消去光）によるホログラム消去（選択的消去）は、インコヒーレント消去と比較して格段に高速であることが分かる。また、選択的消去光は他の多重ホログラムに対しインコヒーレント消去光として働くため、この性質がホログラムの選択的消去を可能とする。図６中、選択的消去の場合にはおよそ２６０秒程度で、規格化回折効率が極小値をとっている。規格化回折効率が極小値をとるときに第２ポート２からの光波による干渉縞７の上書きを終了することで、ホログラムの選択的消去が実現される。
〔実施例２〕
次に、フォトリフラクティブ媒質として、鉄を不純物として含むリチウムニオブ酸（ＬｉＮｂＯ３：Ｆｅ）結晶を用い、この結晶中に実際にホログラムを多重記録し、多重ホログラムのうちの一枚を選択的に消去できることを、実験的に確認した実施例について記載する。
【００６３】
図７に実験に用いた系を示す。ここでＭ波ミラー、ＢＳはビームスプリッタ、ＨＷＰは半波長板、ＰＢＳは偏光ビームスプリッタ、Ｌはレンズである。本実験ではフォトリフラクティブ結晶として、７×７×５[ｍｍ3]の鉄を不純物として含むリチウムニオブ酸（ＬｉＮｂＯ３：Ｆｅ）結晶３３を用い、光源として波長５１４ｎｍのＡｒ＋レーザを用いた。
【００６４】
Ａｒ＋レーザからのレーザ光は、ミラーＭ１、半波長板ＨＷＰ１を介して偏光ビームスプリッタＰＢＳ１で２つに分割され、そのうちの一方の光がミラーＭ２、ミラーＭ３を介してビームスプリッタＢＳに第１ポート３１からの光波として導かれ、他方の光が半波長板ＨＷＰ２、偏光ビームスプリッタＰＢＳ２、ミラーＭ４を介してビームスプリッタＢＳに第２ポート３２からの光波として導かれる。なお、図中、Ｓ１、Ｓ２にて示すのは、第１ポート３１及び第２ポート３２からの光波の入射を選択的に制御するためのシャッターである。
【００６５】
このような実験系を用いて、ホログラムの多重記録、その後のホログラムの選択的消去、及び選択的消去部分への追記を行った。図８に、最初の記録後、選択的消去後、並びに追記後の再生像を示す。
【００６６】
まずは、第１ポート３１から光波を入射し、これをビームスプリッタＢＳにより分波してそれぞれ物体光、参照光として、結晶３３中にホログラムを形成した。詳細には、分波光のうち、ミラーＭ５に照射された方は、物体光として、入力マスク３４にて画像データが付加され、レンズＬ１を介してＬｉＮｂＯ３：Ｆｅ結晶３３中に集光され、ミラーＭ６に照射された方は、参照光として、すりガラス３５を経てレンズＬ２を介してＬｉＮｂＯ３：Ｆｅ結晶３３中に集光される。ここでは、すりガラス３５の水平方向移動により、３枚のホログラムをスペックル多重記録した。記録した３枚のホログラムの各画像データを、図８に記録画像として示す。
【００６７】
次に、第２ポート３２から光波を入射し、３枚目のホログラムの一部であるアルファベット“Ｃ”のみを選択的に消去した。ここでホログラムを選択的に消去する際には、参照光の光路上のすりガラス３５は、消去するホログラム（ここでは３枚目）に対する再生条件を満足するように配置し、また、物体光については消去するホログラム（ここでは３枚目）に対応する入力マスク３４（ここでは“Ｃ”）を記録時と同一位置に配置している。
【００６８】
その後、第１ポート３１から光波を入射して、消去された３枚目のホログラムの“Ｃ”の位置に、“Ｃ”の画像データを有する入力マスク３４を用いて、新たに“Ｅ”を追記した。
【００６９】
図８より、本手法により任意のホログラム内の任意部位を選択的に消去・更新できていることがわかる。
【００７０】
なお、上記実施の形態及び実施例では、多重ホログラムの選択的消去として説明したが、多重記録でないホログラムについても、このような２重マッハツェンダ−干渉光学系を用いることで、移相器の類を必要とすることなく、高速にホログラムを消去することができるようになる。
【００７１】
なお、上記した具体的な実施の形態と実施例とは、あくまでも、本発明の技術内容を明らかにするものであって、そのような具体例にのみ限定して狭義に解釈されるべきものではなく、本発明の精神と特許請求の範囲に記載した範囲内で、種々変更して実施することができるものである。
【産業上の利用可能性】
【００７２】
大容量光メモリとして用いることができる。
【図面の簡単な説明】
【００７３】
【図１】本発明の実施の一形態を示すものであり、ホログラムメモリ装置の要部構成を示す図面である。
【図２】２重マッハツェンダ−干渉光学系の構成を示す図面である。
【図３】図１のホログラムメモリ装置における記録時の手順を示す図面である。
【図４】図１のホログラムメモリ装置における再生時の手順を示す図面である。
【図５】図１のホログラムメモリ装置における選択的消去時の手順を示す図面である。
【図６】本発明の一実施例を示すものであり、図２の２重マッハツェンダ−干渉光学系における交差領域に、フォトリフラクティブ媒質としてＬｉＮｂＯ３：Ｆｅ結晶を配置し、第１ポートからの入射光による干渉縞で記録されたホログラムを、第２ポートからの入射光による干渉縞で上書きした場合の規格化回折効率を示す図面である。
【図７】本発明のその他の実施例を示すものであり、フォトリフラクティブ媒質としてＬｉＮｂＯ３：Ｆｅ結晶を用い、この結晶中に実際にホログラムを多重記録し、多重ホログラムのうちの一枚を選択的に消去できることを確認した実験系の構成を示す図面である。
【図８】図７の実験系にて３枚のホログラムを記録し、そのうちの１つを選択的消去し、さらに消去した部分に追記を行った各工程におけるホログラムの再生像を示す図面である。
【図９】従来の移相器を用いて記録時の干渉縞と空間的にπだけ位相の変位した干渉縞を生成して該干渉縞を上書きすることによる多重ホログラムの選択的消去を説明する図面である。
【符号の説明】
【００７４】
１１    フォトリフラクティブ媒質（ホログラムメモリ）
１２    第１光源
１３    第２光源
１４    ビームスプリッタ
１５    シャッター
１６    第１ミラー
１７    第２ミラー
１８    空間光変調器
１９    物体光
２０    参照光
２１    すりガラス
２２    ホログラム
２４    光検出器
２５    ２重マッハツェンダ−干渉光学系
【図１】
2006126642.tif 000003
【図２】
2006126642.tif 000004
【図３】
2006126642.tif 000005
【図４】
2006126642.tif 000006
【図５】
2006126642.tif 000007
【図６】
2006126642.tif 000008
【図７】
2006126642.tif 000009
【図８】
2006126642.tif 000010
【図９】
2006126642.tif 000011